【手続補正書】
【提出日】平成28年5月2日(2016.5.2)
【手続補正１】
【補正対象書類名】特許請求の範囲
【補正対象項目名】請求項１１
【補正方法】変更
【補正の内容】
【請求項１１】
印刷装置の制御方法であって、
前記印刷装置は、シートの給紙元から、印刷処理が行われたシートの排紙先までの、給紙されたシートの搬送路に沿って、当該搬送路の途中のそれぞれ異なる位置に設けられ、前記搬送路でいずれかのシートにジャムが発生した際に前記搬送路に残留するシートの排紙先として用いられる複数のシート退避部を備え、
前記制御方法は、
前記搬送路で搬送されている複数のシートのいずれかにジャムが発生すると、前記搬送路に残留した複数のシートのうちで排紙可能なシートを、残留した位置に対して搬送方向の下流側に設けられたシート退避部に排紙する排紙制御工程と、
前記複数のシート退避部のそれぞれにおける、前記排紙制御工程で排紙されたシートの積載状態を検知する検知工程と、
前記排紙制御工程で前記排紙可能なシートの排紙が行われている間に、いずれかのシート退避部が満載状態となったことが前記検知工程で検知されると、当該シート退避部に対して搬送されるシートの排紙先を、当該シート退避部よりも搬送方向の下流側に設けられたシート退避部に変更する変更工程と、
を含むことを特徴とする印刷装置の制御方法。
【手続補正２】
【補正対象書類名】明細書
【補正対象項目名】００１２
【補正方法】変更
【補正の内容】
【００１２】
給紙アクセサリ１０２は、印刷処理の対象となるシートが収納される、シートの給紙元となる複数の給紙ユニット１３０〜１３２を備える。給紙アクセサリ１０２は、印刷装置本体１０１からの指示に応じて、給紙ユニット１３０〜１３２に収納されている複数のシートを１枚ずつ分離して、分離したシートを１枚ずつ順に搬送路１０６上に給紙する。また、給紙アクセサリ１０２は、複数のシートを連続的に給紙することが可能である。
【手続補正３】
【補正対象書類名】明細書
【補正対象項目名】００１６
【補正方法】変更
【補正の内容】
【００１６】
シート退避部１０７は、給紙アクセサリ１０２内の搬送路１０６の途中に設けられている。シート退避部１０７は、通常、給紙ユニット１３０〜１３２から、複数のシートが分離されずに重なった状態で搬送される重送の発生を検知した場合に、重送の状態となっているシートを排紙するために用いられる。給紙アクセサリ１０２は、搬送路１０６上で搬送されるシートをシート退避部１０７にガイドするためのフラッパ１１１を動作させる（開ける）ことで、搬送路１０６上のシートをシート退避部１０７に排紙することが可能である。本実施形態で、給紙アクセサリ１０２は、ジャムの発生が検知され、印刷装置本体１０１からシート退避指示を受け付けると、フラッパ１１１を動作させ、搬送路１０６上のシートをシート退避部１０７に排紙する。
【手続補正４】
【補正対象書類名】明細書
【補正対象項目名】００２３
【補正方法】変更
【補正の内容】
【００２３】
印刷装置本体１０１は、印刷装置本体１０１だけでなく、給紙アクセサリ１０２及び排紙アクセサリ１０３〜１０５を含む印刷装置１００全体の動作を制御するＣＰＵ２０１を備える。また、印刷装置本体１０１は、ＲＡＭ２０２、ハードディスクドライブ（ＨＤＤ）２０３、インタフェース（Ｉ／Ｆ）２０４、及びユーザインタフェース（ＵＩ）２０５を備える。ＲＡＭ２０２には、ＣＰＵ２０１が実行するソフトウェア（プログラム）及びＣＰＵ２０１が使用するデータが一時的に格納される。ＨＤＤ２０３には、印刷装置本体１０１の動作のためのソフトウェア及びデータが格納される。Ｉ／Ｆ２０４は、給紙アクセサリ１０２及び排紙アクセサリ１０３〜１０５と通信を行うための通信インタフェースである。ＵＩ２０５は、ユーザが指示を入力するための入力インタフェース、及び、印刷装置本体１０１の動作情報、ユーザへの通知情報等の様々な情報を表示するための表示インタフェースとして機能する。
【手続補正５】
【補正対象書類名】明細書
【補正対象項目名】００２５
【補正方法】変更
【補正の内容】
【００２５】
図３は、印刷装置１００のソフトウェア構成を示すブロック図である。図３では、印刷装置１００が有するソフトウェアモジュールのうち、特に、本実施形態に係るシート排紙処理に関連するソフトウェアモジュールを示している。図３に示す各ブロックの機能は、ＣＰＵ２０１、２１１、２２１、２３１によって、印刷装置本体１０１、給紙アクセサリ１０２、及び排紙アクセサリ１０３〜１０５において実現される。具体的には、ＣＰＵ２０１、２１１、２２１、２３１が、それぞれＨＤＤ２０３、ＲＯＭ２１３、２２３、２３３に格納されている制御プログラムをＲＡＭ２０２、２１２、２２２、２３２に読み出して実行する。それによって、図３に示す各ブロックの機能が実現される。なお、図３では、図２と同様、排紙アクセサリ１０３及び１０４については、共通する構成として示している。
【手続補正６】
【補正対象書類名】明細書
【補正対象項目名】００２９
【補正方法】変更
【補正の内容】
【００２９】
排紙アクセサリ１０５において、ジャム検知制御部３３１は、印刷処理の実行中に、排紙アクセサリ１０５内の搬送路１０６において搬送されているシートにジャムが発生すると、当該ジャムの発生を検知する。更に、ジャム検知制御部３３１は、ジャムの発生を検知したことを示す信号を、ジャム検知制御部３０１に送信する。排紙制御部３３２は、排紙制御部３０２の指示に応じて、ジャムが発生した際に搬送路１０６に残留するシートを、シート退避部１０９に排紙するための排紙処理を制御する。ローラ制御部３３３は、排紙アクセサリ１０５のローラ群１１３を制御する。フラッパ制御部３３４は、フラッパ１１２を制御する。センサ制御部３３５は、シート退避部１０９に設けられたセンサ１２３を制御する。センサ制御部３３５は、センサ１２３を用いて、シート退避部１０９におけるシートの積載状態を検知可能である。
【手続補正７】
【補正対象書類名】明細書
【補正対象項目名】００３２
【補正方法】変更
【補正の内容】
【００３２】
図４（Ａ）〜（Ｃ）では、シートの給紙元（給紙ユニット１３０〜１３２）から排紙先（ここでは、排紙アクセサリ１０５とする。）までの、シートの搬送路１０６と、搬送路１０６に沿って搬送路１０６の途中に設けられたシート退避部１０７〜１０９とを示している。また、給紙元からシート退避部１０７までの区間を区間Ａ、シート退避部１０７からシート退避部１０８までの区間を区間Ｂ、シート退避部１０８からシート退避部１０９までの区間を区間Ｃと定義している。また、図４（Ａ）〜（Ｃ）は、それぞれ区間Ａ、区間Ｂ、区間Ｃにおいて搬送中のシートにジャムが発生した場合に対応し、それぞれジャムの発生位置Ｎ１〜Ｎ３を示している。
【手続補正８】
【補正対象書類名】明細書
【補正対象項目名】００３３
【補正方法】変更
【補正の内容】
【００３３】
（区間Ａでジャムが発生した場合）
図４（Ａ）は、搬送路１０６の区間Ａにおける位置Ｎ１においてシートにジャムが発生した場合を示している。この場合、印刷装置１００は、搬送路１０６において位置Ｎ１に対して搬送方向の上流側の区間４０１に残留しているシートを、位置Ｎ１よりも搬送方向の下流側に搬送することはできない。一方で、搬送路１０６において位置Ｎ１に対して搬送方向の下流側に残留している各シートについては、ジャムが発生したシートによって阻害されることなく、シート退避部１０７〜１０９のいずれかを退避先として、排紙させることが可能である。例えば、区間４０１を除く区間Ａ、区間Ｂ、及び区間Ｃにそれぞれ残留するシートを、各シートが残留した位置から搬送方向の下流側でそれぞれ最も近いシート退避部１０７、１０８及び１０９に自動的に排紙する。
【手続補正９】
【補正対象書類名】明細書
【補正対象項目名】００４３
【補正方法】変更
【補正の内容】
【００４３】
まず、図５は、本実施形態に係る印刷装置１００（印刷装置本体１０１）によって実行される印刷処理の手順を示すフローチャートである。ＣＰＵ２０１は、印刷装置１００におけるシートに対する印刷処理を開始すると、給紙アクセサリ１０２の給紙ユニット１３０〜１３２からシートを搬送路１０６に給紙して、搬送路１０６において所定の搬送方向にシートの搬送を開始する。例えば、ＣＰＵ２０１は、ＵＩ２０５を介してユーザによって入力される指示（印刷ジョブ）、またはネットワーク（図示せず）を介して外部装置から受信した指示（印刷ジョブ）に基づく印刷処理を開始する。
【手続補正１０】
【補正対象書類名】図面
【補正対象項目名】図１
【補正方法】変更
【補正の内容】
【図１】
2014221547.tif 000001